(57)【要約】【課題】主としてマイクロ波帯における移動体通信用無線通信機器に使用されるアンテナにおいて、表面実装に適した多共振アンテナを実現する。【解決手段】誘電体ブロック１０１の一主面に間隙で分離した高域用および低域用パッチアンテナ電極１０２、１０３を配置し、パッチアンテナ電極１０２、１０３の各々に電磁気的に結合する給電線路電極１０４、１０６を給電端子電極１０５、１０７に接続し、基板１２０の各周波数帯毎の入出力線路１２１、１２２に接続することにより、２周波数帯に対応する多共振表面実装アンテナ１００を表面実装することが可能となる。【選択図】　図１
2004007559.tif 000002
【特許請求の範囲】
【請求項１】
誘電体ブロックと、前記誘電体ブロックの一主面に形成した複数のパッチアンテナ電極と、前記誘電体ブロックの側壁に形成した１つまたは複数の給電端子電極と、前記給電端子電極に接続されて前記パッチアンテナ電極に電磁気的に結合する１つまたは複数の給電線路電極を有することを特徴とする多共振アンテナ。
【請求項２】
誘電体ブロックの底面にグランド電極を有することを特徴とする請求項１記載の多共振アンテナ。
【請求項３】
誘電体ブロックの側面に形成され、グランド電極に接続された１つまたは複数のグランド端子電極を有することを特徴とする請求項２記載の多共振アンテナ。
【請求項４】
誘電体ブロックの底面にグランド電極と給電端子電極を分離する間隙からなる分離素子を有することを特徴とする請求項２記載の多共振アンテナ。
【請求項５】
誘電体ブロックの側面に表面実装時の固定端子となる給電端子電極を有することを特徴とする請求項１記載の多共振アンテナ。
【請求項６】
パッチアンテナ電極は円偏波を送受信することを特徴とする請求項１記載の多共振アンテナ。
【請求項７】
誘電体ブロックの底部または上部に設けられた窪みからなる給電線路溝を有し、給電線路電極が前記給電線路溝内に配置されることを特徴とする請求項１記載の多共振アンテナ。
【請求項８】
誘電体ブロックと、誘電体ブロックの一主面にあり第１周波数帯の電波の送受信に供される第１のパッチアンテナ電極と、前記第１のパッチアンテナと同一面にあり間隙により分離されて前記第１のパッチアンテナ電極を内包し、第１周波数帯より低い第２周波数帯の電波の送受信に供される第２のパッチアンテナ電極と、前記第１のパッチアンテナ電極に電磁気的に結合する第１の給電線路電極と、前記第２のパッチアンテナ電極に電磁気的に結合する第２の給電線路電極と、前記誘電体ブロックの側壁に形成され、前記第１の給電線路電極に接続された第１の給電端子電極と、前記第１の給電端子電極とは異なる側壁に形成され、前記第２の給電線路電極に接続された第２の給電端子電極を有することを特徴とする多共振アンテナ。
【請求項９】
第１の給電線路電極と第２の給電線路電極の誘電体ブロック底面からの高さが等しいことを特徴とする請求項８記載の多共振アンテナ。
【請求項１０】
第１のパッチアンテナ電極および第２のパッチアンテナ電極が円偏波用パッチアンテナであることを特徴とする請求項８記載の多共振アンテナ。
【請求項１１】
第１のパッチアンテナ電極の一部に切り欠きを設けたことを特徴とする請求項１０に記載の多共振アンテナ。
【請求項１２】
誘電体ブロックの第２のパッチアンテナ電極画形成された面と同一面に形成され、間隙を隔てて前記第２のパッチアンテナ電極と電磁気的に結合する第２の給電線路電極を有することを特徴とする請求項８記載の多共振アンテナ。
【請求項１３】
誘電体ブロックと、誘電体ブロックの一主面に形成され第１周波数帯の電波の送受信に供される第１のパッチアンテナ電極と、前記第１のパッチアンテナと同一面に形成され前記第１のパッチアンテナ間隙と分離されて前記第１のパッチアンテナ電極を内包し、第１周波数帯より低い第２周波数帯の電波の送受信に供される第２のパッチアンテナ電極と、前記第１のパッチアンテナ電極に電磁気的に結合する給電線路電極と、前記誘電体ブロックの側壁にあり前記第１の電線路電極に接続された給電端子電極とを有することを特徴とする多共振アンテナ。
【請求項１４】
誘電体ブロックと、前記誘電体ブロックの一主面にあり第１周波数帯の電波の送受信に供される第１のパッチアンテナ電極と、前記誘電体ブロックの一主面にあり第１のパッチアンテナ電極と間隙により分離されて前記第１のパッチアンテナ電極を内包し、第１周波数帯より低い第２周波数帯の電波の送受信に供される第２のパッチアンテナ電極と、前記誘電体ブロックの一主面にあり第２のパッチアンテナ電極と間隙により分離されて前記第２のパッチアンテナ電極を内包し、第２周波数帯より低い第３周波数帯の電波の送受信に供される第３のパッチアンテナ電極と、前記第１のパッチアンテナ電極に電磁気的に結合する第１の給電線路電極と、前記第２のパッチアンテナ電極に電磁気的に結合する第２の給電線路電極と、前記第３のパッチアンテナ電極に電磁気的に結合する第３の給電線路電極と、前記第１の給電線路電極に接続された第１の給電端子電極と、前記第２の給電線路電極に接続された第２の給電端子電極と、前記第３の給電線路電極に接続された第３の給電端子電極を有することを特徴とする多共振アンテナ。
【請求項１５】
第１のパッチアンテナ電極および第３のパッチアンテナ電極に電磁気的に結合する給電線路電極と、前記給電線路電極に接続された給電端子電極を有することを特徴とする請求項１４記載の多共振アンテナ。
【請求項１６】
第１、第２のパッチアンテナ電極に電磁気的に結合する給電線路電極を有することを特徴とする請求項８記載の多共振アンテナ。
【請求項１７】
第１、第２、第３のパッチアンテナ電極に電磁気的に結合する給電線路電極を有することを特徴とする請求項１４記載の多共振アンテナ。
【請求項１８】
第２、第３のパッチアンテナ電極に電磁気的に結合する給電線路電極を有することを特徴とする請求項１４記載の多共振アンテナ。
【請求項１９】
誘電体ブロックと、前記誘電体ブロックの一主面にあり第１周波数帯の電波の送受信に供される第１のパッチアンテナ電極と、前記誘電体ブロックの一主面にあり前記第１のパッチアンテナ電極と間隙により分離されて第１のパッチアンテナ電極を内包し、第１周波数帯より低い第２周波数帯の電波の送受信に供する第２のパッチアンテナ電極と、前記誘電体ブロックの一主面にあり前記第２のパッチアンテナ電極と間隙により分離されて第２のパッチアンテナ電極を内包し、第２周波数帯より低い第３周波数帯の電波の送受信に供する第３のパッチアンテナ電極と、前記誘電体ブロックの一主面にあり間隙により分離されて前記第３のパッチアンテナ電極を内包し第３周波数帯より低い第４周波数帯の電波の送受信に供する第４のパッチアンテナ電極と、前記第１のパッチアンテナ電極に電磁気的に結合する第１の給電線路電極と、前記第２のパッチアンテナ電極に電磁気的に結合する第２の給電線路電極と、前記第３のパッチアンテナ電極に電磁気的に結合する第３の給電線路電極と、前記第４のパッチアンテナ電極に電磁気的に結合する第４の給電線路電極と、前記誘電体ブロックの側壁にあり前記第１の電線路電極に接続された第１の給電端子電極と、前記第１の給電端子電極とは異なる側壁にあり前記第２の給電線路電極に接続された第２の給電端子電極と、前記第１および前記第２の給電端子電極とは異なる側壁にあり前記第３の給電線路電極に接続された第３の給電端子電極と、前記第１、第２および第３の給電端子電極とは異なる側壁にあり前記第４の給電線路電極に接続された第４の給電端子電極を有することを特徴とする多共振アンテナ。
【請求項２０】
誘電体ブロックと、前記誘電体ブロックの一主面にあり第１周波数帯の電波の送受信に供される第１のパッチアンテナ電極と、前記誘電体ブロックの一主面にあり前記第１のパッチアンテナ電極と間隙により分離されて前記第１のパッチアンテナ電極を内包し、第１周波数帯より低い第２周波数帯の電波の送受信に供される第２のパッチアンテナ電極と、前記第１のパッチアンテナ電極に接続され前記誘電体ブロックを厚さ方向に貫通して配された第１の給電ピン電極と、前記第２のパッチアンテナ電極に電磁気的に結合し、前記誘電体ブロックの表面または内層にある第２の給電線路電極と、前記誘電体ブロックの側壁にあり前記第２の給電線路電極に接続された第２の給電端子電極を有することを特徴とする多共振アンテナ。
【請求項２１】
請求項１に記載の給電端子電極、請求項８に記載の第２の給電端子電極、請求項１４に記載の第３の給電端子電極、請求項１７に記載の第４の給電端子電極または請求項２０に記載の第２の給電端子電極は、表面実装時の固定端子を兼ねることを特徴とする多共振アンテナ。
【請求項２２】
誘電体ブロックは、水平断面が四角形の板状であることを特徴とする請求項１、８、１３、１４、１９、２０のいずれかに記載の多共振アンテナ。
【請求項２３】
給電線路溝の形状が直線状であることを特徴とする請求項７記載の多共振アンテナ。
【請求項２４】
給電線路溝の形状が十字状であることを特徴とする請求項７記載の多共振アンテナ。
【請求項２５】
誘電体ブロックの底面に付けられた金属薄板からなり誘電体ブロックの底部にある給電線路溝を覆いアンテナのグランドとなるグランド電極を有することを特徴とする請求項２または７記載の多共振アンテナ。
【請求項２６】
内層電極として給電線路電極を備えた多層基板からなる誘電体ブロックと、サイドメタライズによる給電端子電極を有することを特徴とする請求項１記載の多共振アンテナ。
【請求項２７】
多層基板からなる誘電体ブロックと、前記誘電体基板を厚さ方向に貫通するスルーホールからなる給電ピン電極を有することを特徴とする請求項２０記載の多共振アンテナ。
【請求項２８】
内層電極として給電線路電極を備えた多層基板からなる誘電体ブロックと、前記誘電体ブロックを厚さ方向に貫通する給電線路端に接続されスルーホールからなる給電端子電極を有することを特徴とする請求項１記載の多共振アンテナ。
【請求項２９】
請求項１乃至２８のいずれかに記載の多共振アンテナと、前記多共振アンテナを実装する回路基板と、前記多共振アンテナを覆うアンテナカバーを有することを特徴とするアンテナモジュール。
【請求項３０】
請求項１乃至２８のいずれかに記載の多共振アンテナを用いたことを特徴とする無線装置。
【発明の詳細な説明】
【０００１】
【発明の属する技術分野】本発明は主としてマイクロ波帯における移動体通信用無線機器に使用される多共振アンテナ、アンテナモジュールおよび多共振アンテナ用いた無線装置に関する。
【０００２】
【従来の技術】
複数の周波数帯に対応する移動体通信機器用アンテナとしては、たとえば特許文献１に示される誘電体パッチアンテナが知られている。図１９に特許文献１に記載されている誘電体パッチアンテナを示す。誘電体パッチアンテナ１は、ベースとなる板状の誘電体ブロック２の上部に長さａの第１のパッチアンテナ電極３と、間隙で分離された長さｂの第２のパッチアンテナ電極４が形成され、底部に誘電体パッチアンテナ１のグランドとなるグランド電極５が形成されている。誘電体パッチアンテナ１の第１の入出力端子となる第１のパッチアンテナ電極３に接続された第１の給電ピン６により、誘電体パッチアンテナ１が実装される基板８上の第１の給電線路９に接続される。さらに、誘電体パッチアンテナ１の第２の入出力端子となる第２のパッチアンテナ電極４に接続された第２の給電ピン７により誘電体パッチアンテナ１が実装される基板８上の第２の給電線路１０に接続される。
【０００３】
かかる構成により、パッチアンテナ電極３の長さａが誘電体ブロック２内の伝搬波長の約半分となる周波数帯ｆ１の信号に対して、誘電体パッチアンテナ１に給電ピン６から入力した信号でパッチアンテナ電極３が励振されて電波が放射される。受信時には、周波数帯ｆ１の入射電波によりパッチアンテナ電極３が励振され、給電ピン６より受信信号が出力される。さらに、パッチアンテナ電極４の長さｂが誘電体ブロック２内の伝搬波長の約半分となる周波数帯ｆ２の信号に対して、誘電体パッチアンテナ１に給電ピン７から入力した信号でパッチアンテナ電極４が励振されて電波が放出される。受信時には、周波数帯ｆ２の入射電波によりパッチアンテナ電極４が励振され、給電ピン７より受信信号が出力される。
【０００４】
【特許文献１】
特開２００１−６０８２３号公報
【０００５】
【発明が解決しようとする課題】
上記の従来のアンテナにおいては、基板８に穴をあけ給電ピン６、７によりアンテナ１への給電を行うため、基板８への表面実装が困難であるという課題を有している。
【０００６】
また、給電ピン５はアンテナ電極３の外側に配置されるため、周波数ｆ１でのアンテナ１の入力インピーダンスが高くなり、たとえば５０Ω系との整合のために別途に整合用回路を設ける必要があるが、この整合用回路によりアンテナ１の効率が低下するという課題を有している。
【０００７】
さらに、各々の周波数帯毎に給電ポートを設ける必要があり、アンテナ１と無線部を分離した構成では複数のケーブルが必要となり、１本のケーブルで接続するには統合用の回路が別途必要になるという課題を有している。
【０００８】
本発明は、上記課題を解決し、表面実装に適した複数の周波数帯に対応する多共振アンテナを提供することを目的とする。
【０００９】
また、入力インピーダンスの調整が可能な表面実装に適した多共振アンテナを提供することを目的とする。
【００１０】
さらに、無線部と１本のケーブルで接続が可能な多共振アンテナを提供することを目的とする。
【００１１】
【課題を解決するための手段】
この課題を解決するために、本発明は第１に、誘電体ブロックと、前記誘電体ブロックの一主面にある複数のパッチアンテナ電極と、前記誘電体ブロックの側壁にありアンテナの入出力端子である１つまたは複数の給電端子電極と、前記給電端子電極に接続されて前記パッチアンテナ電極に電磁気的に結合する前記誘電体ブロックの一主面および内層の１つまたは複数の給電線路電極を有することを特徴とする多共振アンテナであり、表面実装に対応した多共振アンテナを実現する作用を有する。
【００１２】
本発明は第２に、第１の発明に加え、誘電体ブロックの底部または上部に設けられた窪みからなる給電線路溝を有し、給電線路電極が前記給電線路溝内に配置することで単層の誘電体ブロックにより表面実装に対応した多共振アンテナを実現する作用を有する。
【００１３】
本発明は第３に、誘電体ブロックと、誘電体ブロックの一主面にあり第１周波数帯ｆ１の電波の送受信に供される第１のパッチアンテナ電極と、前記第１のパッチアンテナと同一面にあり間隙により分離されて前記第１のパッチアンテナ電極を内包し第２周波数帯ｆ２（ｆ１＞ｆ２）の電波の送受信に供される第２のパッチアンテナ電極と、前記第１のパッチアンテナ電極に電磁気的に結合する前記誘電体ブロックの内層にある第１の給電線路電極と、前記第２のパッチアンテナ電極に電磁気的に結合する前記誘電体ブロックの表面または内層にある第２の給電線路電極と、前記誘電体ブロックの側壁にあり前記第１の電線路電極に接続されたアンテナの周波数帯ｆ１の入出力端子となる第１の給電端子電極と、前記第１の給電端子電極とは異なる側壁にあり前記第２の給電線路電極に接続されたアンテナの周波数帯ｆ２の入出力端子となる第２の給電端子電極を有することを特徴とする多共振アンテナであり、２つのパッチアンテナ電極に各々結合する２つの給電線路電極を設けることで各々の周波数帯において良好な入力インピーダンス特性が得られる表面実装に対応した２共振アンテナを実現する作用を有する。
【００１４】
本発明は第４に、第３の発明に加え、第２のパッチアンテナ電極と同一な誘電体ブロックの表面にあり間隙を隔てて前記第２のパッチアンテナ電極と電磁気的に結合する第２の給電線路電極を有することを特徴とするアンテナであり、２つのパッチアンテナ電極に各々結合する２つの給電線路電極を設けることで各々の周波数帯において良好な入力インピーダンス特性が得られる表面実装に対応した２共振アンテナを実現する作用を有する。
【００１５】
本発明は第５に、誘電体ブロックと、前記誘電体ブロックの一主面にあり第１周波数帯ｆ１の電波の送受信に供される第１のパッチアンテナ電極と、前記誘電体ブロックの一主面にあり間隙により分離されて前記第１のパッチアンテナ電極を内包し第２周波数帯ｆ２の電波の送受信に供される第２のパッチアンテナ電極と、前記誘電体ブロックの一主面にあり間隙により分離されて前記第２のパッチアンテナ電極を内包し第３周波数帯ｆ３（ｆ１＞ｆ２＞ｆ３）の電波の送受信に供される第３のパッチアンテナ電極と、前記第１のパッチアンテナ電極に電磁気的に結合する前記誘電体ブロックの内層にある第１の給電線路電極と、前記第２のパッチアンテナ電極に電磁気的に結合する前記誘電体ブロックの内層にある第２の給電線路電極と、前記第２のパッチアンテナ電極に電磁気的に結合する前記誘電体ブロックの表面または内層にある第３の給電線路電極と、前記誘電体ブロックの側壁にあり前記第１の給電線路電極に接続されたアンテナの周波数帯ｆ１の入出力端子となる第１の給電端子電極と、前記第１の給電端子電極とは異なる側壁にあり前記第２の給電線路電極に接続されたアンテナの周波数帯ｆ２の入出力端子となる第２の給電端子電極と、前記第１、第２、第３の給電端子電極とは異なる側壁にあり前記第２の給電線路電極に接続されたアンテナの周波数帯ｆ３の入出力端子となる第３の給電端子電極を有することを特徴とする多共振アンテナであり、３つのパッチアンテナ電極に各々結合する３つの給電線路電極を設けることで各々の周波数帯において良好な入力インピーダンス特性が得られる表面実装に対応した３共振アンテナを実現する作用を有する。
【００１６】
本発明は第６に、第３の発明に加え、第１のパッチアンテナ電極および第３のパッチアンテナ電極に電磁気的に結合する誘電体ブロック内層にある給電線路電極と、前記給電線路電極に接続された給電端子電極を有することを特徴とするアンテナであり、２つのパッチアンテナ電極に結合する給電線路電極を設けることで各々の周波数帯において良好な入力インピーダンス特性が得られる表面実装に対応した単一入出力の２共振アンテナを実現する作用を有する。
【００１７】
本発明は第７に、第１の発明に加え、内層電極として給電線路電極を備えた多層基板からなる誘電体ブロックと、サイドメタライズによる給電端子電極を有することを特徴とする多共振アンテナであり、多層基板の製造法を用いて各々の周波数帯において良好な入力インピーダンス特性が得られる２共振アンテナを実現する作用を有する。
【００１８】
【発明の実施の形態】
以下、本発明の実施の形態について、図１から図１８を用いて説明する。
【００１９】
（実施の形態１）
図１は本発明の実施の形態１におけるアンテナの基板実装状態での斜視図（一部透視）、図２（ａ）はこのアンテナを上面から見た場合の内層電極含む電極配置図、図２（ｂ）は図１のＡ−Ａ’線断面図、図２（ｃ）は図１のＢ−Ｂ’線断面図である。
【００２０】
図１および図２において、１００は周波数帯ｆ１、ｆ２（ｆ１＞ｆ２）に対応した実施の形態１のアンテナを示す。１０１は水平断面が正方形の板状の誘電体ブロック、１０２は誘電体ブロック１０１の一主面に厚膜印刷等で形成された一辺の長さａの正方形の高域周波数帯ｆ１用の高域用パッチアンテナ電極、１０３は高域用パッチアンテナ電極１０２と同じ面に厚膜印刷等で形成された外形が一辺の長さｂの正方形で幅ｃの間隙により分離されて高域用パッチアンテナ電極１０２を内包する低域周波数帯ｆ２用の低域用パッチアンテナ電極、１０４は長さＬ１で高域用パッチアンテナ電極１０２と電磁気的に結合する底面からの高さがＨ１のストリップ線路状の内層電極である高域用給電線路電極、１０５は誘電体ブロック１０１の側面および底面にあり高域用給電線路電極１０４に接続されアンテナ１００の高域の周波数帯ｆ１用の入出力端子でありかつ表面実装時の固定端子となる高域用給電端子電極、１０６は長さＬ２で低域用パッチアンテナ電極１０３と電磁気的に結合する底面からの高さがＨ２のストリップ線路状の内層電極である低域用給電線路電極、１０７は誘電体ブロック１０１の側面および底面にあり低域用給電線路電極１０６に接続されたアンテナ１００の低域の周波数帯ｆ２用の入出力端子でありかつ表面実装時の固定端子となる低域用給電端子電極、１０８は誘電体ブロック１０１の底面にありアンテナ１００のグランドとなるグランド電極、１０９は給電端子電極１０５および１０７とグランド電極１０８を電気的に分離する分離素子、１１０は誘電体ブロック１０１の側面にありグランド電極１０８に接続されアンテナ１００の接地端子であり、かつ、表面実装時の固定端子となるグランド端子電極である。１２０はアンテナ１００を実装する基板、１２１は高域用給電端子電極１０５を接続することでアンテナ１００へ高域の周波数帯ｆ１で信号の入出力を行う５０Ω系のマイクロストリップ線路からなる高域用入出力線路、１２２は低域用給電端子電極１０７を接続することでアンテナ１００へ低域の周波数帯ｆ２で信号の入出力を行う５０Ω系のマイクロストリップ線路からなる低域用入出力線路、１２３はグランド端子電極１１０を接続するためのグランドパッドで、スルーホール等により基板１２０のグランドパッド１２４に接続される。
【００２１】
給電端子電極１０５を入出力線路１２１の端に、給電端子電極１０７を入出力線路１２２の端に、グランド端子電極１１０をグランドパッド１２３に、各々を半田付け等により接続することで、アンテナ１００を基板１２０に表面実装する。高域用パッチアンテナ電極１０２の一辺の長さａは高域の周波数帯ｆ１における誘電体ブロック１０１内での伝搬波長の約半分の長さであり高域の周波数帯ｆ１で共振する。低域用パッチアンテナ電極１０３の一辺の長さｂは低域の周波数帯ｆ２における誘電体ブロック１０１内での伝搬波長の約半分の長さであり低域の周波数帯ｆ２で共振する。
【００２２】
つぎに動作を説明する。高域周波数帯ｆ１の送信信号は、高域用入出力線路１２１から高域用給電端子電極１０５を経て高域用給電線路電極１０４へ伝えられ、高域用給電線路電極１０４に電磁気的に結合した高域用パッチアンテナ電極１０２を励振し、高域用パッチアンテナ電極１０２が共振することで、電波として送信される。一方、高域周波数帯ｆ１の到来電波により共振することで高域用パッチアンテナ電極１０２は励振され、高域用パッチアンテナ電極１０２に電磁気的に結合した高域用給電線路電極１０４を伝わり高域用給電端子電極１０５を経て高域用入出力線路１２１へ出力される。
【００２３】
同様にして、低域周波数帯ｆ２の送信信号は、低域用入出力線路１２２、低域用給電端子電極１０７、低域用給電線路電極１０６を経て、低域用パッチアンテナ電極１０３を励振し電波として送信される。一方、低域の周波数帯ｆ２の到来電波により低域用パッチアンテナ電極１０３は励振され、低域用給電線路電極１０６、低域用給電端子電極１０７を経て低域用入出力線路１２２へ出力される。以上のように、周波数帯ｆ１、ｆ２の信号に対して送受信が可能な２共振アンテナとして動作する。
【００２４】
図３は、誘電体ブロック１０１が断面が一辺４２ｍｍの正方形で、厚さが５ｍｍ、比誘電率が７、ａ＝２０ｍｍ、ｂ＝３０ｍｍ、ｃ＝１ｍｍの場合の給電端子電極から見た入力インピーダンスの解析例で、周波数帯ｆ１は２．５ＧＨｚ帯、周波数帯ｆ２は１．５ＧＨｚ帯、ＶＳＷＲとしては５０Ω系に対する値を用いている。図３（ａ）は、横軸が給電線路電極の長さを低域用アンテナ電極の長さｂで規格化した値、縦軸が給電線路の底面からの高さを誘電体ブロックの厚さで規格化した値である。曲線Ａは、高域周波数帯ｆ１において、高域用給電端子電極１０５からみた入力インピーダンスのＶＳＷＲ値が１になる高域用給電線路電極１０４の長さＬ１、高さＨ１の条件の軌跡である。曲線Ｂは、低域周波数帯ｆ２において、低域用給電端子電極１０７からみた入力インピーダンスのＶＳＷＲ値が１になる低域給電線路電極１０６の長さＬ２、高さＨ２の条件の軌跡である。例えば、給電線路電極の底面からの高さがＨ１＝Ｈ２＝誘電体ブロックの厚さの５０％のとき、軌跡Ａでは給電線路電極の長さＬ１は約２４％となり，軌跡Ｂでは給電線路電極の長さＬ２は約３％となる。図３（ｂ）は、給電線路高さがＨ１＝Ｈ２＝誘電体ブロックの厚さの５０％の場合の解析例で、横軸が給電線路電極の長さで、縦軸は給電端子電極から見た入力インピーダンスのＶＳＷＲ値である。軌跡Ｃは、高域の周波数帯ｆ１における、高域用給電線路電極の長さＬ１とＶＳＷＲ値の関係であり、長さＬ１が２４％で良好なインピーダンス特性が得られることを表している。また、軌跡Ｄは、低域の周波数ｆ２における、低域用給電線路電極の長さＬ２とＶＳＷＲ特性の関係の例であり、長さＬ２が約３％で良好なインピーダンス特性が、より良いアンテナ特性が得られることを表している。
【００２５】
図４は円偏波用アンテナ電極を備えた本発明の実施の形態１の別な形態のアンテナの上面からの電極図（内層電極含む）である。図４（ａ）は、第１のアンテナ電極として円偏波パッチアンテナ電極１３０を用いた例である。正方形パッチの対向する１対の対角に切り欠きを設け、切り欠きを設けた対角線方向の共振動作の位相が進むことでアンテナ正面から見て左回りの共振動作が発生して右旋円偏波アンテナとして動作する。したがって、アンテナ１００は周波数帯ｆ１では円偏波アンテナとなり、周波数帯ｆ２では直線偏波アンテナとして動作する。
【００２６】
図４（ｂ）は、第２のアンテナ電極として円偏波パッチアンテナ１３１を用いた例で、（ａ）と同様に対向する１対の対角に切り欠きを設けることで、第２のアンテナ電極は右旋円偏波アンテナとして動作し、アンテナ１００は周波数帯ｆ１では直線偏波アンテナとなり、周波数帯ｆ２では円偏波アンテナとして動作する。
【００２７】
図４（ｃ）は、第１および第２のアンテナ電極として２つの円偏波パッチアンテナ１３０、１３１を用いた例で、同様に、アンテナ１００は周波数帯ｆ１および周波数帯ｆ２で円偏波アンテナとして動作する。このように円偏波用アンテナ電極を用いて、円偏波の送受信に用いてもよい。
【００２８】
図５は本発明の実施の形態１のアンテナを実装する基板の斜視図である。図５（ａ）は図１で示した基板１２０の斜視図である。図５（ｂ）は、アンテナ下にグランドを広げたグランドパッド１２４を設けた例である。図５（ｃ）は、基板のグランド面上にアンテナを実装できるようにした基板１３０の斜視図で、第１の入出力線路１３２に対するパッド１３３と、第２の入出力線路１３４に対するパッド１３５と、両パッドをグランドと分離するギャップ１３６と、アンテナを点線１３７で示した位置に実装する際のグランド端子電極の実装性を改善するギャップ１３８を備える。このように、基板１３０上にグランド用の電極を用いてもよく、その際にはグランド電極を設けなくても良い。
【００２９】
上述の実施の形態１の説明において、誘電体ブロック１０１の断面として正方形の例を示したが、長方形、円、楕円、多角形などを用いてもよく、形状を限定するものではない。また、アンテナ電極として、正方形の例を示したが、長方形、円、楕円、多角形でもよく形状を限定するものではない。
【００３０】
更に、給電線路の高さとして高域用Ｈ１と低域用Ｈ２が等しい例を示したが、異なる値でも良い。その場合は、図３（ａ）に例示した条件を用いることで、良好な特性が得られる。
【００３１】
図６は実施の形態１によるアンテナ１００を使用したアンテナモジュールの一部破断斜視図である。図６において、１５０はアンテナモジュール、１５１は箱状のアンテナカバー、１５２は基板、１５５は同軸線路による高域周波数帯ｆ１用のコネクタケーブルで、給電路１５３を介してアンテナモジュール１５０へ給電する。１５６は同軸線路による低域周波数帯ｆ２用のコネクタケーブルで、給電路１５４を介してアンテナモジュール１５０へ給電する。アンテナ１００はアンテナカバー１５１で覆われることにより、アンテナ周辺の環境が固定され、安定したアンテナ動作が得られる。
【００３２】
図７は実施の形態１によるアンテナ１００を用いた無線機の斜視図である。図７において、１６０は無線機、１６１は無線機１６０の無線部基板、１６２はアンテナ１００へ高域周波数帯ｆ１の信号の入出力を行う高域用入出力線路、１６３はアンテナ１００へ低域周波数帯ｆ２の信号の入出力を行う低域用入出力線路、１６４は無線部であり、アンテナ１００を用いることで、他の面実装部品と同様の手法で実装でき、安定した特性の無線機をより安価に製造することが可能となる。
【００３３】
以上により、２つの周波数で良好なインピーダンス特性が得られ、表面実装に対応した２共振アンテナの実現が可能となる。
【００３４】
（実施の形態２）
図８（ａ）は本発明の実施の形態２におけるアンテナの基板実装状態での斜視図、図８（ｂ）は図８（ａ）のアンテナを上面から見た場合の内層電極含む電極配置図である。１４０はアンテナ、１４１は長さがＬ２で誘電体ブロック１０１の一主面にありパッチアンテナ電極１０３と幅Ｇのギャップ１４２を挟んで電磁気的に結合して給電する低域用給電線路電極である。その他の部分は図１および図２（ａ）と同様である。
【００３５】
以上の構成において、以下その動作を説明する。周波数帯ｆ１の信号に対する動作は、実施の形態１で説明した場合と同様である。また、低域の周波数帯ｆ２の送信信号は、低域用入出力線路１２２から低域用給電端子電極１０７を経て低域用給電線路電極１４１へ伝えられ、低域用給電線路電極１４１にギャップを介して電磁気的に結合した低域用パッチアンテナ電極１０３を励振し、低域用パッチアンテナ電極１０３が共振することで電波として送信され、一方、低域の周波数帯ｆ２の到来電波により共振することで低域用パッチアンテナ電極１０３は励振され、低域用パッチアンテナ電極１０３にギャップを介して電磁気的に結合した低域用給電線路電極１４１を伝わり低域用給電端子電極１０７を経て低域用入出力線路１２２へ出力される。
【００３６】
以上のように、周波数ｆ１、ｆ２の送受信が可能な２共振アンテナとして動作する。なお、低域用給電線路の長さＬ２（あるいは図８（ｂ）の長さＬ２’）とギャップＧを調整することで、アンテナ１４０の入力インピーダンスが調整でき、より良好なアンテナ特性が得られる。
【００３７】
以上により、２つの周波数で良好なインピーダンス特性が得られ、表面実装に対応した２共振アンテナの実現が可能となる。
【００３８】
（実施の形態３）
図９（ａ）は本発明の実施の形態３によるアンテナの基板実装状態での一部透視斜視図、図９（ｂ）はこのアンテナの上面から見た場合の内層電極含む電極配置図である。図９（ａ）、（ｂ）において、２００は周波数帯ｆ１、ｆ２、ｆ３（ｆ１＞ｆ２＞ｆ３）に対応したアンテナ、２０１は水平断面が正方形の板状の誘電体ブロック、２０２は誘電体ブロック２０１の一主面に厚膜印刷等で形成された一辺の長さがａの正方形の高域の周波数帯ｆ１用の高域用パッチアンテナ電極、２０３は高域用パッチアンテナ電極２０２と同じ面に厚膜印刷等で形成された外形が一辺の長さｂの正方形で幅ｃの間隙により分離されて高域用パッチアンテナ電極２０２を内包する中域周波数帯ｆ２用の中域用パッチアンテナ電極、２０４は中域用パッチアンテナ電極２０３と同じ面に厚膜印刷等で形成された外形が一辺の長さｄの正方形で幅ｅの間隙により分離されて中域用パッチアンテナ電極２０３を内包する低域周波数帯ｆ３用の低域用パッチアンテナ電極、２０５は長さＬ１で高域用パッチアンテナ電極２０２と電磁気的に結合するストリップ線路状の内層電極である高域用給電線路電極、２０６は長さＬ２で中域用パッチアンテナ電極２０３と電磁気的に結合するストリップ線路状の内層電極である中域用給電線路電極、２０７は長さＬ３で低域用パッチアンテナ電極２０４と電磁気的に結合するストリップ線路状の内層電極である低域用給電線路電極、２０８は誘電体ブロック２０１の側面および底面にあり高域用給電線路電極２０５に接続されアンテナ２００の高域の周波数帯ｆ１用の入出力端子でありかつ表面実装時の固定端子となる高域用給電端子電極、２０９は誘電体ブロック２０１の側面および底面にあり中域用給電線路電極２０６に接続されたアンテナ２００の中域の周波数帯ｆ２用の入出力端子でありかつ表面実装時の固定端子となる中域用給電端子電極、２１０は誘電体ブロック２０１の側面および底面にあり低域用給電線路電極２０７に接続されたアンテナ２００の低域の周波数帯ｆ３用の入出力端子でありかつ表面実装時の固定端子となる低域用給電端子電極である。
【００３９】
周波数帯ｆ１、ｆ２の信号に対する動作は、実施の形態１の場合と同様である。低域周波数帯ｆ３の送信信号は、低域用入出力線路２２３、低域用給電端子電極２１０、低域用給電線路電極２０７を経て、低域用パッチアンテナ電極２０４を励振し電波として送信さる。一方、低域の周波数帯ｆ３の到来電波により低域用パッチアンテナ電極２０４は励振され、低域用給電線路電極２０７、低域用給電端子電極２１０を経て低域用入出力線路２２３へ出力される。
【００４０】
以上により、３つの周波数で良好な特性が得られ、表面実装に対応したアンテナの実現が可能となる。
【００４１】
また、アンテナ基板上に表面実装され周波数帯ｆ１、ｆ２、ｆ３およびｆ４（ｆ１＞ｆ２＞ｆ３＞ｆ４）の送受信に供される４共振誘電体アパッチアンテナにおいても、例えばｆ１を高域の周波数帯、ｆ２を中高域の周波数帯、ｆ３を中域の周波数帯、ｆ４を低域の周波数帯として、それぞれ対応する４つのパッチアンテナ電極、４つの給電端子電極および４つの給電線路電極を設け上記実の動作と同様な動作を行うことにより、４つの周波数でも良好な特性が得られ、表面実装に対応したアンテナの実現が可能となる。
【００４２】
（実施の形態４）
図１０（ａ）は本発明の実施の形態４によるアンテナの基板実装状態での一部透視斜視図、図１０（ｂ）はこのアンテナの上面から見た場合の内層電極含む電極配置図である。図１０（ａ）、（ｂ）において、３００はアンテナ、３０１は長さがＬでありアンテナ電極１０２および１０３と電磁気的に結合して給電する給電線路電極、３０２は誘電体ブロック１０１の側面および底面にあり給電線路電極３０１に接続されたアンテナ３００の入出力端子でありかつ表面実装時の固定端子となる給電端子電極である。その他の部分はその他の部分は図１および図２（ａ）と同様である。
【００４３】
以上の構成において、以下その動作を説明する。高域の周波数帯ｆ１の送信信号は、入出力線路１２１から給電端子電極３０２を経て給電線路電極３０１へ伝えられ、高域用パッチアンテナ電極１０２を励振し、高域用パッチアンテナ電極１０２が共振することで電波として送信される。一方、高域の周波数帯ｆ１の到来電波により共振することで高域用パッチアンテナ電極１０２は励振され、高域用パッチアンテナ電極１０２に電磁気的に結合した給電線路電極３０１を伝わり給電端子電極３０２を経て入出力線路１２１へ出力される。同様にして、低域の周波数帯ｆ２の送信信号も送受される。周波数帯ｆ１、ｆ２の信号に対して送受信が可能な２共振アンテナとして動作する。
【００４４】
図１１は、誘電体ブロックが断面が一辺４２ｍｍの正方形で、厚さが５ｍｍ、比誘電率が７、ａ＝２０ｍｍ，ｂ＝３０ｍｍ，ｃ＝１ｍｍでのアンテナの給電端子電極での入力インピーダンスの解析例で、周波数帯ｆ１は２．５ＧＨｚ帯、周波数帯ｆ２は１．５ＧＨｚ帯、ＶＳＷＲとしては５０Ω系に対する値を用いている。図１１（ａ）は、横軸が給電線路の長さを低域用アンテナ電極の長さｂで規格化した値、縦軸が給電線路の底面からの高さを誘電体ブロックの厚さで規格化した値である。曲線Ａは、周波数帯ｆ１において、給電端子電極３０２の入力インピーダンスのＶＳＷＲ値が１になる条件の軌跡である。曲線Ｂは、周波数帯ｆ２において、給電端子電極３０２の入力インピーダンスのＶＳＷＲ値が１になる条件の軌跡である。例えば、給電線路の底面からの高さがＨ＝３０％のとき、軌跡Ａ、ＢともにＬ＝４９％となる。
【００４５】
図１１（ｂ）は給電線路高さがＨ＝３０％の場合で、横軸が給電線路の長さＬで、縦軸はＶＳＷＲ値である。軌跡Ｃは、周波数帯ｆ１における、給電線路の長さＬとＶＳＷＲ特性の関係であり、長さＬが約４９％で良好なインピーダンス特性が得られることを表している。また、軌跡Ｄは、周波数帯ｆ２における、給電線路の長さとＶＳＷＲ特性の関係の例であり、長さＬが約４９％で良好なインピーダンス特性が得られることを表している。
【００４６】
たとえば、アンテナと無線モジュールが分離されケーブルで接続される構成においては、アンテナ出力が１つであるため、必要なケーブル数が１本で済み、安価に無線部を構成することが可能となる。
【００４７】
以上により、２つの周波数で良好なインピーダンス特性が得られ、単一入出力の表面実装に対応した２共振アンテナの実現が可能となる。
【００４８】
（実施の形態５）
図１２（ａ）は本発明の実施の形態５におけるアンテナの基板実装状態での斜視図（一部透視）であり、図１２（ｂ）はこのアンテナを上面から見た場合の内層電極含む電極配置図である。図１２において、４００はアンテナ、４０１は誘電体ブロック１０１を貫通してアンテナ電極１０２に接続された給電ピン、４１０はアンテナ４００を実装する基板、４１１は給電ピン４０１を接続することでアンテナ４００へ給電するマイクロストリップ線路からなる高域用入出力線路、４１２は低域用給電端子電極１０７を接続することでアンテナ４００へ給電するマイクロストリップ線路からなる低域用入出力線路である。給電ピン４０１を入出力線路４１１に、給電端子電極１０７を入出力線路４１２端に、グランド端子電極１１０をグランド４１３に接続されたグランドパッド４１６に、各々を半田付け等により接続することで、アンテナ４００を基板１２０に表面実装する。その他の部分はその他の部分は図１および図２（ａ）と同様である。
【００４９】
つぎに動作を説明する。高域の周波数帯ｆ１の送信信号は、高域用入出力線路４１１から給電ピン４０１を経て高域用パッチアンテナ電極１０２を励振し、高域用パッチアンテナ電極１０２が共振することで、電波として送信される。一方、高域の周波数帯ｆ１の到来電波により共振することで高域用パッチアンテナ電極１０２は励振され、給電ピン４０１を伝わり高域用入出力線路４１１へ出力される。また、低域の周波数帯ｆ２の送信信号は、実施の形態１と同様に送受信され、周波数帯ｆ１、ｆ２の信号に対して送受信が可能な２共振アンテナとして動作する。
【００５０】
なお、給電ピン４０１を高域用アンテナ電極１０２へ接続する位置（図１２（ｂ）のＤ１）を調整することで、インピーダンスの調整が可能であり、良好なアンテナ特性が得られる。また、アンテナ４００を給電ピン４０１で基板４１０に固定することにより、アンテナ４００の固定強度を増すことできる。
【００５１】
以上により、２つの周波数で良好なインピーダンス特性が得られ、固定強度を強化した２共振アンテナの実現が可能となる。
【００５２】
（実施の形態６）
図１３（ａ）は本発明の実施の形態６におけるアンテナの基板実装状態での透視斜視図、図１３（ｂ）はアンテナの裏面からの斜視図、図１３（ｃ）は図１３（ａ）のＡ−Ａ’線断面図である。図１３において、５００はアンテナ、５０１は誘電体ブロック１０１の底面に設けられた給電線路溝、５０２は給電線路溝５０１の天井に設けられた給電線路電極、５０３は給電線路５０２に接続された入出力端子となる給電端子電極である。その他の部分は図１および図２（ｂ）と同様である。
【００５３】
周波数帯ｆ１およびｆ２での送受信は実施の形態４と同様である。給電線路溝５０１内に給電線路を設けることで、例えば溝状の窪みを備えた誘電体セラミックを誘電体ブロックとして用いることが可能となり、アンテナの製造が容易になる。また、給電線路電極をレーザ加工等により調整することで、アンテナ形成後の調整が可能となる。
【００５４】
さらに、アンテナ電極および給電線路電極を誘電体ブロックの表面に設けることで、誘電体ブロック形成後に電極形状を変更し、用意に所望の周波数へ対応対応することが可能になる。たとえば、誘電体ブロックを誘電体セラミックで構成する場合、１種類の誘電体ブロックを用いて用意に対応周波数の異なるアンテナを実現できる。
【００５５】
以上により、２つの周波数で良好なインピーダンス特性が得られ、製造が容易な１点給電の２共振アンテナの実現が可能となる。
【００５６】
（実施の形態７）
図１４（ａ）は本発明の実施の形態７におけるアンテナの基板実装状態での斜視図であり、図１４（ｂ）はこのアンテナの裏面からの斜視図、図１４（ｃ）は図１４（ａ）のＡ−Ａ’線断面図、図１４（ｄ）は図１４（ａ）のＢ−Ｂ’線断面図である。　図１４（ａ）〜（ｄ）において、６００はアンテナ、６０１は誘電体ブロック１０１の底面に設けられた十字状の給電線路溝である。その他の部分の構成は図１および図２と同様であり、また、周波数帯ｆ１およびｆ２での送受信は実施の形態１と同様である。
【００５７】
給電線路溝６０１内に給電線路を設けることで、例えば溝状の窪みを備えた誘電体セラミックを誘電体ブロックとして用いることが可能となり、アンテナの製造が容易になる。
【００５８】
以上により、２つの周波数で良好なインピーダンス特性が得られ、製造が容易な２点給電の２共振アンテナの実現が可能となる。
【００５９】
（実施の形態８）
図１５は本発明の実施の形態８におけるアンテナの基板実装状態での一部透視斜視図である。図１５において、７００は周波数帯ｆ１、ｆ２（ｆ１＞ｆ２）に対応したアンテナ、７０１は水平断面が正方形の誘電体張り合わせ基板からなる誘電体ブロック、７０２は誘電体ブロック７０１の一主面にエッチング等でパターンングされた一辺の長さがａの正方形の高域の周波数帯ｆ１用の高域用アンテナ電極、７０３は外形が一辺の長さがｂの正方形で幅ｃの間隙により分離されて高域用パッチアンテナ電極７０２を内包する低域の周波数帯ｆ２用の低域用パッチアンテナ電極、７０４は長さＬ１で高域用パッチアンテナ電極７０２と電磁気的に結合するストリップ線路状の内層電極である高域用給電線路電極、７０５は長さＬ２で低域用パッチアンテナ電極７０３と電磁気的に結合するストリップ線路状の内層電極である低域用給電線路電極、７０６は誘電体ブロック７０１の側面および底面にあり高域用給電線路電極７０４に接続されアンテナ７００の高域の周波数帯ｆ１用の入出力端子でありかつ表面実装時の固定端子となるサイドメタライズ等により形成された高域用給電端子電極、７０７は誘電体ブロック７０１の側面および底面にあり低域用給電線路電極７０５に接続されたアンテナ７００の低域の周波数帯ｆ２用の入出力端子でありかつ表面実装時の固定端子となる低域用給電端子電極である。給電端子電極７０６を入出力線路７２１の端に、給電端子電極７０７を入出力線路７２２の端に、各々を半田付け等により接続することで、アンテナ７００を基板７２０に表面実装する。
【００６０】
周波数帯ｆ１、ｆ２に対する動作については、実施の形態１と同様である。本構成により、通常の多層基板作製法により、多共振アンテナが作製できる。
【００６１】
（実施の形態９）
図１６は、実施の形態９のアンテナである。図１５と同一部分には同一符号を付して説明を省略する。７１０はアンテナ、７１１は高域用アンテナ電極７０２に接続されたスルーホールによる給電ピンである。給電ピン７１１の位置を調整することにより、良好なインピーダンス特性が得られる。
【００６２】
（実施の形態１０）
図１７は、実施の形態１０のアンテナである。図１６と同一部分は同一符号を付して説明を省略する。７３０はアンテナ、７３１は低域用給電線路電極７０５に接続されたスルーホールによる給電端子電極であり、給電ピン７１１の位置を調整することにより、良好なインピーダンス特性が得られる。
【００６３】
以上により、２つの周波数で良好なインピーダンス特性が得られ、製造が容易な２点給電の２共振アンテナの実現が可能となる。
【００６４】
（実施の形態１１）
図１８（ａ）は本発明の実施の形態１１におけるアンテナの基板実装状態での一部透視斜視図、図１８（ｂ）はこのアンテナを用いた無線部構成の機能ブロック図である。図１８において、図９と同一部分には同一符号を付して説明を省略する。８００は周波数帯ｆ１、ｆ２、ｆ３（ｆ１＞ｆ２＞ｆ３）に対応したアンテナ、８０１は高域用パッチアンテナ電極２０２および中域用パッチアンテナ電極２０３と電磁気的に結合するストリップ線路状の内層電極である高中域給電線路電極、８０２は誘電体ブロック２０１の側面および底面にあり高中域給電線路電極８０１に接続された高域周波数帯ｆ１および中域周波数帯ｆ２用の入出力端子であり、かつ、表面実装時の固定端子となる高中域用給電端子電極である。８１５はアンテナ８００を含むアンテナ部、８１６は無線部、８２０は低域用低雑音増幅器、８２１はアンテナ共用器、８２２はアンテナ部８１５と無線部８１６を接続するケーブル、８２２は分配器、８２３は高域用無線部との接続ポート、８２４は中域用無線部と接続ポート、８２５は低域用無線部との接続ポートである。
【００６５】
基本的な動作は実施の形態３と同様であり、以下、実施の形態３と異なる点について説明する。高域の周波数帯ｆ１の送信信号は高中域用入出力線路８１１、高中域用給電端子電極８０３、高中域用給電線路電極８０１を経て、高域用パッチアンテナ電極２０２を励振し電波として送信され、中域の周波数帯ｆ２の送信信号は、高中域用入出力線路８１１、高中域用給電端子電極８０３、高中域用給電線路電極８０１を経て、中域用パッチアンテナ電極２０３を励振し電波として送信される。一方、高域の周波数帯ｆ１の到来電波により高域用パッチアンテナ電極２０２は励振され、高中域用給電線路電極８０１、高中域用給電端子電極８０２を経て高中域用入出力線路８１１へ出力され、中域の周波数帯ｆ２の到来電波により高域用パッチアンテナ電極２０３は励振され、高中域用給電線路電極８０１、高中域用給電端子電極８０２を経て高中域用入出力線路８１１へ出力される。周波数帯ｆ３の信号に対する動作は、実施の形態３で説明したとおりである。
【００６６】
図１８（ｂ）の構成では、低域を使用するシステムとしてたとえばＧＰＳのような入力信号が小さく、かつ、受信機能のみ備えた無線部を想定し、低域用給電線路電極の長さによりインピーダンス調整を行うことで低域用低雑音増幅器８２０と良好な整合が可能となり、より高感度な受信機の構成が可能となる。さらに、高域と中域間のアンテナ共用回路が不要となり、かつ、実施の形態４と同様の動作により、たとえば５０Ωへの良好な整合が可能となり、より高効率なアンテナ部の構成が可能となる。
【００６７】
なお、本実施の形態では高域と中域の給電線路電極を共用した例を示したが、たとえば、高域と低域、中域と低域の給電線路電極を共用してもよい。
【００６８】
以上により、３つの周波数で良好な特性が得られ、表面実装に対応したアンテナの実現が可能となる。
【００６９】
【発明の効果】
以上のように本発明によれば、第１に、誘電体ブロックと、前記誘電体ブロックの一主面にある複数のパッチアンテナ電極と、前記誘電体ブロックの側壁にありアンテナの入出力端子である１つまたは複数の給電端子電極と、前記給電端子電極に接続されて前記パッチアンテナ電極に電磁気的に結合する前記誘電体ブロックの一主面および内層の１つまたは複数の給電線路電極を有することを特徴とする多共振アンテナであり、表面実装に対応した多共振アンテナを実現することができるという効果を有する。
【００７０】
第２に、２つのパッチアンテナ電極に各々結合する２つの給電線路電極を設けることで各々の周波数帯において良好な入力インピーダンス特性が得られる表面実装に対応した多共振アンテナを実現することができるという効果を有する。
【００７１】
第３に、３つのパッチアンテナ電極に各々結合する３つの給電線路電極を設けることで各々の周波数帯において良好な入力インピーダンス特性が得られる表面実装に対応した多共振アンテナを実現することができるという効果を有する。
【００７２】
第４に、２つのパッチアンテナ電極に結合する給電線路電極を設けることで各々の周波数帯において良好な入力インピーダンス特性が得られる表面実装に対応した単一入出力の多共振アンテナを実現するという効果を有する。
【図面の簡単な説明】
【図１】本発明の実施の形態１によるアンテナの斜視図
【図２】（ａ）は本発明の実施の形態１によるアンテナの上面から見た電極配置図
（ｂ）は図１のＡ−Ａ’線断面図
（ｃ）は図１のＢ−Ｂ’線断面図
【図３】本発明の実施の形態１によるアンテナの特性例を示す図
【図４】本発明の実施の形態１の別な形態によるアンテナの上面から見た電極配置図
【図５】本発明の実施の形態１によるアンテナを実装する基板の斜視図
【図６】本発明の実施の形態１によるアンテナを用いたアンテナモジュールの斜視図
【図７】本発明の実施の形態１によるアンテナを用いた無線装置の斜視図
【図８】（ａ）は本発明の実施の形態２におけるアンテナの基板実装状態での斜視図
（ｂ）は図８（ａ）のアンテナを上面から見た場合の内層電極含む電極配置図
【図９】（ａ）は本発明の実施の形態３によるアンテナの斜視図
（ｂ）は図９（ａ）のアンテナを上面から見た場合の電極配置図
【図１０】（ａ）は本発明の実施の形態４によるアンテナの斜視図
（ｂ）は図１０（ａ）のアンテナを上面から見た場合の電極配置図
【図１１】本発明の実施の形態４によるアンテナの特性例を示す図
【図１２】（ａ）は本発明の実施の形態５によるアンテナの斜視図
（ｂ）は図１０（ａ）のアンテナを上面から見た場合の電極配置図
【図１３】（ａ）は本発明の実施の形態６によるアンテナの斜視図
（ｂ）は図１３（ａ）のアンテナの裏面からの斜視図
（ｃ）は図１３（ａ）のＡ−Ａ’線断面図
【図１４】（ａ）は本発明の実施の形態７によるアンテナの斜視図
（ｂ）は図１４（ａ）のアンテナの裏面からの斜視図
（ｃ）は図１４（ａ）のＡ−Ａ’線断面図
（ｄ）は図１４（ａ）のＢ−Ｂ’線断面図
【図１５】本発明の実施の形態８によるアンテナの斜視図
【図１６】本発明の実施の形態９によるアンテナの斜視図
【図１７】本発明の実施の形態１０によるアンテナの斜視図
【図１８】（ａ）は本発明の実施の形態１１によるアンテナの斜視図
（ｂ）は本発明の実施の形態１１によるアンテナ用いた無線機構成の機能ブロック図
【図１９】従来のパッチアンテナの斜視図
【符号の説明】
１００、２００、３００、４００、５００、６００、７００、７１０、７３０、８００　アンテナ
１０１　誘電体ブロック
１０２　高域用アンテナ電極
１０３　低域用アンテナ電極
１０４　高域用給電線路電極
１０５　高域用給電端子電極
１０６　低域用給電線路電極
１０７　低域用給電端子電極
１０８　グランド電極
１０９　分離素子
１１０　接地端子
１２０、１３０、１５２　基板
１２１　高域用入出力線路
１２２　低域用入出力線路
１２３、１２４　グランドパッド
１３０、１３１　円偏波アンテナ電極
１３２、１３４　入出力線路
１３３、１３５　パッド
１３６、１３８　ギャップ
１４０　アンテナ
１４１　低域用給電線路電極
１５０　アンテナモジュール
１５１　アンテナカバー
１５３、１５４　給電路
１５５、１５６　コネクタケーブル
１６０　無線機
１６１　無線部基板
１６２　高域用入出力線路
１６３　低域用入出力線路
１６４　無線部
２０１　誘電体ブロック
２０２　高域用パッチアンテナ電極
２０３　中域用パッチアンテナ電極
２０４　低域用パッチアンテナ電極
２０５　高域用給電線路電極
２０６　中域用給電線路電極
２０７　低域用給電線路電極
２０８　高域用給電端子電極
２０９　中域用給電端子電極
２１０　低域用給電端子電極
２２３　低域用入出力線路
３０１　給電線路電極
３０２　給電端子電極
４０１　給電ピン
４１０　基板
４１１　高域用入出力線路
４１２　低域用入出力線路
５０１、６０１　給電線路溝
５０２　給電線路電極
５０３　給電端子電極
７０１　誘電体ブロック
７０２　高域用アンテナ電極
７０３　低域用パッチアンテナ電極
７０４　高域用給電線路電極
７０５　低域用給電線路電極
７０６　高域用給電端子電極
７０７　低域用給電端子電極
７１１　給電ピン
７２０　基板
７２２　入出力線路
７３１　給電端子電極
８０１　高中域給電線路電極
８０２　入出力端子
８１５　アンテナ部
８１６　無線部
８２０　低域用低雑音増幅器
８２１　アンテナ共用器
８２２　ケーブル
８２３、８２４、８２５　接続ポート
【図１】
2004007559.tif 000003
【図２】
2004007559.tif 000004
【図３】
2004007559.tif 000005
【図４】
2004007559.tif 000006
【図５】
2004007559.tif 000007
【図６】
2004007559.tif 000008
【図７】
2004007559.tif 000009
【図８】
2004007559.tif 000010
【図９】
2004007559.tif 000011
【図１０】
2004007559.tif 000012
【図１１】
2004007559.tif 000013
【図１２】
2004007559.tif 000014
【図１３】
2004007559.tif 000015
【図１４】
2004007559.tif 000016
【図１５】
2004007559.tif 000017
【図１６】
2004007559.tif 000018
【図１７】
2004007559.tif 000019
【図１８】
2004007559.tif 000020
【図１９】
2004007559.tif 000021